(57)【要約】【課題】  本発明は、従来の苗移植機の苗振分け転送装置において、紙筒苗Ｐが転送される行程において土抜けを減少させ、搬送姿勢の乱れを防ぎ、振分け部体５による振分けミスを防ぎ、圃場に植付けられた株間、植付深さの変動を減少させる転送装置を提供する。【解決手段】  振分け後分岐転送部８，９で搬送される紙筒苗Ｐの上端部の垂れ下がりを防ぐ紙筒苗上端部支持ベルト１８，１９を設置する。振分け後分岐転送部８，９と供給転送部１２，１３とで形成される三角地帯下１６，７の空間を解消する紙筒苗規制ベルト下２０，２１を設置する。苗受入装置１と振分け前転送部４とで形成される三角地帯上２２の空間を解消する紙筒苗規制ベルト上２３を設置する。紙筒苗Ｐが振分け前転送部４で転送される時、上端部を突き出して転送されのを解消する紙筒苗縦規制ベルト長，短２４，２５を設置する。【選択図】図１
2005229994.tif 000002
【特許請求の範囲】
【請求項１】
一つの苗受入装置１に受入した紙筒苗Ｐを、苗振分け転送装置によって二つの苗植付装置１４，１５に振り分けて供給し、２条に植え付けるようにした苗移植機の苗転送装置において、上段ベルト２，３および下段ベルト６，７で構成される振分け後分岐転送部８，９の下段ベルト６，７に紙筒苗上端部支持ベルト１８，１９をそれぞれ併設したことを特徴とする苗移植機の苗振分け転送装置。
【請求項２】
一つの苗受入装置１に受入した紙筒苗Ｐを、苗振分け転送装置によって二つの苗植付装置１４，１５に振り分けて供給し、２条に植え付けるようにした苗移植機の苗転送装置において、上記振分け後分岐転送部８，９の搬送終端に下段ベルト６，７および外側ベルト１０，１１にて形成され、紙筒苗Ｐを苗植付装置１４，１５に転送供給する縦送り供給転送部１２，１３を設け、振分け後分岐転送部８，９を形成する上段ベルト２，３の終端部軸４１，４２と外側ベルト１０，１１の上端部軸４３，４４にそれぞれ紙筒苗規制ベルト下２０，２１を掛け渡し設けたことを特徴とする苗移植機の苗振分け転送装置。
【請求項３】
苗受入装置１に受入した紙筒苗Ｐを、該苗受入装置１の搬送端から紙筒苗Ｐを下方へ転送する苗転送装置において、苗受入装置１の搬送端軸４５と紙筒苗Ｐを下方へ転送するベルトであって、且つ、苗受入装置１の下に設けた上段ベルト３の上端部軸４６に紙筒苗規制ベルト上２３を掛け渡したことを特徴とする苗移植機の苗転送装置。
【請求項４】
一つの苗受入装置１に受入した紙筒苗Ｐを、苗振分け転送装置によって二つの苗植付装置１４，１５に振り分けて供給し、２条に植え付けるようにした苗移植機の苗転送装置において、苗受入装置１の搬送端に対向する上段ベルト２と、苗受入装置１の搬送端下部に位置する上段ベルト３の一対の縦送りベルトで形成する振分け前転送部４を設け、上段ベルト２を掛け渡す軸４７，４８と上段ベルト３を掛け渡す軸４６，４９に紙筒苗Ｐ上部を挟持搬送する紙筒苗縦規制ベルト長・短２４，２５をそれぞれ設けたことを特徴とする苗移植機の苗振分け転送装置。
【発明の詳細な説明】
【技術分野】
【０００１】  本発明は、一つの苗受入装置に受入した紙筒苗を、一つの苗振分け転送装置によって二つの苗植付装置に振分けて供給し、その紙筒苗を圃場に２条に植え付けるようにした苗移植機の苗振分け転送装置の改良に関する。
【背景技術】
【０００２】  従来の苗振分け転送装置としては、特開平２−２７３１０６号公報、特開平４−３２０６０４号公報等に記載されたものがある。【０００３】  特開平２−２７３１０６号公報の苗振分け転送装置を、図６に概略を示して説明する。ベルトコンベアよりなる苗受入装置１から送給の紙筒苗Ｐを、左右一対の上段ベルト２，３の垂直対向部が形成する、振分け前転送部４によって振分け部体５に送給するとともに、その振分け部体５により振り分けられた紙筒苗Ｐを、左右一対の下段ベルト６，７の斜行部が上記上段ベルト２，３の斜行部とで形成する振分け後分岐転送部８，９に誘導し、その紙筒苗Ｐを、左右一対の外側ベルト１０，１１が上記振分け後分岐転送部８，９の垂直部とで形成する供給転送部１２，１３を介し、左右一対のゴム製回転円板からなる苗植付装置１４，１５に供給するようになっている。【０００４】  紙筒苗Ｐは、左右一対のゴム製回転円板からなる苗植付装置１４，１５に供給する為に、図６，７に示すように、振分け前転送部４、振分け後分岐転送部８，９、供給転送部１２，１３の各ベルトから、紙筒苗Ｐの上端部を突き出して転送される。
【発明の開示】
【発明が解決しようとする課題】
【０００５】  上記従来の苗振分け転送装置においては、紙筒苗Ｐが振分け部体５により振り分けられた後、振分け後分岐転送部８，９を転送される時、ベルトから紙筒苗Ｐの上端部を突き出して転送される為、紙筒苗Ｐの葉部は首振り状態で搬送される。この為ベルトから突き出している紙筒苗Ｐの上端部は屈曲回転状態となり、上端部内の土抜けが生じる。これは、葉部が徒長している場合と、紙筒の土詰りが良くない場合に著しい。この為、供給転送部１２，１３から苗植付装置１４，１５に供給される時に、紙筒苗Ｐの上端部が垂れ下がり植付姿勢が悪くなる。又、紙筒苗Ｐの上端部内の土が抜けた状態で植え付けられる為に生育遅れを生じたり、ひどい場合には苗が枯れたりする。【０００６】  又、紙筒苗Ｐは振分け後分岐転送部８，９から供給転送部１２，１３に転送される時、振分け後分岐転送部８，９と供給転送部１２，１３とで形成される三角地帯下１６，１７を通過する。この空間において紙筒苗Ｐは、一時的に振分け後分岐転送部８，９と供給転送部１２，１３の拘束を解かれ不安定な搬送状態となり、外側ベルト１０，１１の上部に衝突して供給転送部１２，１３に誘導される。この時に紙筒苗Ｐは土抜けを生じ、不安定な自然落下状態となり、供給転送部１２，１３から苗植付装置１４，１５に供給される時に紙筒苗Ｐの上端部が垂れ下がり、苗植付装置１４，１５のゴム製回転円板で挟持する紙筒苗Ｐの上端部の位置が変動し、圃場に植え付けられた植付深さが乱れる。ひどい場合にはゴム製回転円板で紙筒苗Ｐを挟持出来なくなる。【０００７】  紙筒苗Ｐは、ベルトコンベアよりなる苗受入装置１から、振分け前転送部４に転送される時、苗受入装置１と振分け前転送部４とで形成される三角地帯上２２を通過する。この空間において紙筒苗Ｐは、一時的に苗受入装置１と上段ベルト２の拘束を解かれ不安定な搬送状態となり、上段ベルト３の上端部の回転誘導により上段ベルト２，３により挟持搬送される。この時に紙筒苗Ｐは土抜けを生じ、不安定な自然落下状態となり、振分け前転送部４に転送される。不安定な自然落下状態において、紙筒苗Ｐが前下がりとなると振分け部体５による振分けミスを起こしたり、圃場に植え付けられた植付深さが乱れる。【０００８】  又、紙筒苗Ｐは振分け前転送部４で転送される時、紙筒苗Ｐの上端部を突き出して転送される為、紙筒苗Ｐの葉部は首振り状態で搬送される。この時に紙筒苗Ｐは土抜けを生じ、不安定な姿勢となり振分け部体５による振分けミスを起こしたり、圃場に植え付けられた植付深さが乱れる。【０００９】  本発明は、苗移植機の苗振分け転送装置において、紙筒苗Ｐが転送される行程において土抜けや、搬送姿勢の乱れを防ぎ、圃場に植え付けられた株間、植付深さの変動を減少させる転送装置を提供しようとするものである。
【課題を解決するための手段】
【００１０】  図１，２，３，４に概略を示して説明する。
特開平２−２７３１０６号公報に記載された従来の苗振分け転送装置において、振分け後分岐転送部８，９で搬送される紙筒苗Ｐの上端部の垂れ下がりを防ぐ、紙筒苗上端部支持ベルト１８，１９を設置する。これにより紙筒苗Ｐの葉部が首振り状態で搬送されても、紙筒苗Ｐの上端部の下部が支持されるので、振分け後分岐転送部８，９の転送ベルトから紙筒苗Ｐの上端部を突き出して搬送しても、紙筒苗Ｐの上端部内の土抜けを減少させ、紙筒苗Ｐの上端部の屈曲回転を減少させることが出来る。【００１１】  紙筒苗上端部支持ベルト１８，１９に対向し、紙筒苗Ｐの上端部を挟持搬送する、軸４８，４１と軸４６，４２に掛け渡すベルトを設けた場合、挟持搬送する為に紙筒苗Ｐの上端部内の土を絞りだす作用を生じさせる。【００１２】  紙筒苗上端部支持ベルト１８，１９と同様の作用させる為に、左右一対の下段ベルト６，７の幅を紙筒苗Ｐの上端部まで伸ばすと、苗植付装置１４，１５に受け渡しが出来なくなる。【００１３】  又、上記従来の苗振分け転送装置において、振分け後分岐転送部８，９と供給転送部１２，１３とで形成される三角地帯下１６，１７の空間を解消するために、紙筒苗規制ベルト下２０，２１を設置する。これにより紙筒苗Ｐは、振分け後分岐転送部８，９と紙筒苗規制ベルト下２０，２１と供給転送部１２，１３に拘束され、安定な状態で供給転送部１２，１３に誘導される。【００１４】  又、上記従来の苗振分け転送装置において、苗受入装置１と振分け前転送部４とで形成される三角地帯上２２の空間を解消するために、紙筒苗規制ベルト上２３を設置する。これにより紙筒苗Ｐは、苗受入装置１と紙筒苗規制ベルト２３と上段ベルト２，３に拘束され、安定な状態で振分け前転送部４に誘導される。【００１５】  又、上記従来の苗振分け転送装置において、紙筒苗Ｐは振分け前転送部４で転送される時、紙筒苗Ｐの上端部を突き出して転送され、紙筒苗Ｐの葉部は首振り状態で搬送される。この状況を解消するために、一対の紙筒苗縦規制ベルト長，短２４，２５を設置する。紙筒苗Ｐの上端部を一対の紙筒苗縦規制ベルト長，短２４，２５で挟持搬送する為、安定な状態で振分け部体５に誘導転送される。【００１６】  紙筒苗縦規制ベルト長，短２４，２５を、上段ベルト２，３の終端部軸４１，４２まで延長して掛け渡すと、振分け後分岐転送部８，９を搬送される間、紙筒苗Ｐの上端部は下方に屈曲されて搬送される。【００１７】  さらに上記の紙筒苗上端部支持ベルト１８，１９を併設すると、紙筒苗Ｐの上端部を挟持搬送する為に、紙筒苗Ｐの上端部内の土を絞りだす作用を生じさせるので、紙筒苗縦規制ベルト長，短２４，２５は振分け前転送部４のみに設置するのが効果的である。
【発明の効果】
【００１８】  搬送される紙筒苗Ｐの上端部の垂れ下がりを防ぐ紙筒苗上端部支持ベルト１８，１９を設置することにより、紙筒苗Ｐの上端部内の土抜けを減少させることが出来る。【００１９】  振分け後分岐転送部８，９と供給転送部１２，１３とで形成される三角地帯下１６，１７の空間を解消する紙筒苗規制ベルト下２０，２１を設置することにより、紙筒苗Ｐの土抜けを減少させることが出来、搬送姿勢の乱れを防ぎ圃場に植え付けられた株間、植付深さの変動を減少させることが出来る。【００２０】  苗受入装置１と振分け前転送部４とで形成される三角地帯上２２の空間を解消する紙筒苗規制ベルト上２３を設置することにより、紙筒苗Ｐの土抜けを減少させることが出来、搬送姿勢の乱れを防ぎ、振分け部体５による振分けミスを防ぎ、圃場に植え付けられた株間、植付深さの変動を減少させることが出来る。【００２１】  紙筒苗Ｐが振分け前転送部４で転送される時、上端部を突き出して転送されのを解消する紙筒苗縦規制ベルト長，短２４，２５を設置することにより、紙筒苗Ｐの上端部を挟持搬送する為、安定な状態で振分け部体５に誘導転送される。これにより紙筒苗Ｐの土抜けを減少させることが出来、振分け部体５による振分けミスを防ぎ、圃場に植え付けられた株間、植付深さの変動を減少させることが出来る。
【発明を実施するための最良の形態・実施例】
【００２２】  以下図１・２・３・４に概略を示して、一実施例を説明する。本実施例は、トラクター直装型２畦用苗振分け転送装置付移植機を示す。トラクターに連結する前フレーム３０、移植機フレーム３１が２個、駆動輪３２が２個、オプナー３３が２個、苗台３４が１個、苗受入装置１としてのベルトコンベアが１本、苗振分け転送装置が１個、左右二つの苗植付装置１４，１５等を有している。本発明案は、勿論本実施例に限定されるものでは無い。
【００２３】  特開平２−２７３１０６号公報に記載された従来の苗振分け転送装置において、振分け後分岐転送部８，９で搬送される紙筒苗Ｐの上端部の垂れ下がりを防ぐ、紙筒苗上端部支持ベルト１８，１９を設置する。これは振分け後分岐転送部８，９のベルトから、紙筒苗Ｐの上端部が約３．５ｃｍ突き出して転送されるのを支持するもので、紙筒苗Ｐの上端部の下部のみを支持するものである。ゴム・樹脂製の丸ベルト、幅の狭いゴム製ベルトで、ベルト表面に突起・及び弾性体は、設けても設けなくても良い。
紙筒苗Ｐの上端部の上部・下部の両方向から挟み込んで支持すると、土抜けを助長することとなる。
【００２４】  特開平２−２７３１０６号公報に記載された従来の苗振分け転送装置において、振分け後分岐転送部８，９と供給転送部１２，１３とで形成される三角地帯下１６，１７の空間を解消する、上段ベルト２，３の終端部軸４１，４２と外側ベルト１０，１１の上端部軸４３，４４に紙筒苗規制ベルト下２０，２１を掛け渡す。上段ベルト２，３及び、外側ベルト１０，１１の紙筒苗Ｐの上端部側でも、外側ベルト１０・１１を２分割してその中間部に掛け渡しても良い。ゴム・樹脂製の丸ベルト、幅の狭いゴム製ベルトで、ベルト表面に突起・及び弾性体は、必ずしも設けなくて良い。
【００２５】  特開平２−２７３１０６号公報に記載された従来の苗振分け転送装置において、苗受入装置１と振分け前転送部４とで形成される三角地帯上２２の空間を解消する、苗受入装置１の搬送端軸４５と上段ベルト３の上端軸４６に紙筒苗規制ベルト上２３を掛け渡す。ゴム・樹脂製の丸ベルト、幅の狭いゴム製ベルトで、ベルト表面に突起・及び弾性体は、必ずしも設けなくて良い。
【００２６】  上記、紙筒苗規制ベルト上２３は、特開平２−２７３１０６号公報に記載された従来の苗振分け転送装置に限らず、苗受入装置１に受入した紙筒苗Ｐを、縦送り供給転送部を介して苗植付装置１４，１５にて植付ける、公知の苗移植機の苗転送装置にも設置出来る。
【００２７】  特開平２−２７３１０６号公報に記載された従来の苗振分け転送装置において、紙筒苗Ｐは振分け前転送部４で転送される時、紙筒苗Ｐの上端部を突き出して転送される。この状況を解消するために、上段ベルト２を掛け渡す軸４７，４８と上段ベルト３を掛け渡す軸４６，４９に紙筒苗Ｐの上部を挟持搬送する、一対の紙筒苗縦規制ベルト長，短２４，２５を設置する。ゴム・樹脂製の丸ベルト、幅の狭いゴム製ベルトで、ベルト表面に突起・及び弾性体は、必ずしも設けなくて良い。
【図面の簡単な説明】
【００２８】
【図１】本発明における苗振分け転送装置の正面図である。
【図２】同上苗振分け転送装置の正面一部拡大図である。
【図３】本発明における苗振分け転送装置の側面図である。
【図４】本発明における苗振分け転送装置の平面図である。
【図５】本発明における苗振分け転送装置を搭載装備した移植機の概略側面図である。
【図６】公知の苗振分け転送装置の説明・正面図である。
【図７】公知の苗振分け転送装置の説明・側面図である。
【符号の説明】
１          苗受入装置
２，３      上段ベルト
４          振分け前転送部
５          振分け部体
６，７      下段ベルト
８，９      振分け後分岐転送部
１０，１１  外側ベルト
１２，１３  縦送り供給転送部
１４，１５  苗植付装置
１６，１７  三角地帯下
１８，１９  紙筒苗上端部支持ベルト
２０，２１  紙筒苗規制ベルト下
２２        三角地帯上
２３        紙筒苗規制ベルト上
２４        紙筒苗縦規制ベルト長
２５        紙筒苗縦規制ベルト短
３０        前フレーム
３１        移植機フレーム
３２        駆動輪
３３        オプナー
３４        苗台
４１        上段ベルト２の終端部軸
４２        上段ベルト３の終端部軸
４３        外側ベルト１０の上端部軸
４４        外側ベルト１１の上端部軸
４５        苗受入装置１の搬送端軸
４６        上段ベルト３の上端部軸
４７        上段ベルト２の上端部軸
４８        上段ベルト２の中端部軸
４９        上段ベルト３の中端部軸
Ｐ          紙筒苗
【図１】
2005229994.tif 000003
【図２】
2005229994.tif 000004
【図３】
2005229994.tif 000005
【図４】
2005229994.tif 000006
【図５】
2005229994.tif 000007
【図６】
2005229994.tif 000008
【図７】
2005229994.tif 000009